(57)【要約】【課題】鏡が割れたり欠けたりすることを抑えることができる鏡の固定構造を提供すること。【解決手段】鏡の固定構造は、裏面３５と交差する側面３７１、３７２に設けられた溝３７３を有する鏡３と、鏡３を被固定部に固定する固定具であって、裏面３５の反対側に形成された表面３６には掛からない状態で溝３７３に係止されるとともに接着剤６１により裏面３５に接着された係止部材４１と、被固定部に物理的に固定され係止部材４１を支持する固定部材と、を有する固定具と、溝３７３と被固定部との間に設けられ、係止部材４１から溝３７３に作用する力を緩和する緩衝部材６３と、を備える。【選択図】図６
2019177069.tif 000002
【特許請求の範囲】
【請求項１】
反射面が裏面の側に設けられた鏡を被固定部に固定する鏡の固定構造であって、
前記裏面と交差する側面に設けられた孔または溝を有する鏡と、
前記鏡を前記被固定部に固定する固定具であって、前記裏面の反対側に形成された表面には掛からない状態で前記孔または前記溝に係止されるとともに接着剤により前記裏面に接着された係止部材と、前記被固定部に物理的に固定され前記係止部材を支持する固定部材と、を有する固定具と、
前記孔または前記溝と前記被固定部との間に設けられ、前記係止部材から前記孔または前記溝に作用する力を緩和する緩衝部材と、
を備えたことを特徴とする鏡の固定構造。
【請求項２】
前記緩衝部材は、前記接着剤よりも柔軟であることを特徴とする請求項１に記載の鏡の固定構造。
【請求項３】
前記緩衝部材は、前記接着剤とは異なるとともに弾性を有する他の接着剤であり、前記係止部材と前記鏡とを接着することを特徴とする請求項１または２に記載の鏡の固定構造。
【発明の詳細な説明】
【技術分野】
【０００１】
本発明は、被固定部に鏡を固定する鏡の固定構造に関する。
【背景技術】
【０００２】
一般的に、接着剤や両面接着テープなどを用いた接着により、壁などの被固定部に鏡を固定する鏡の固定構造が存在する。しかし、鏡は、高温多湿な環境下に設置されることがある。また、例えば鏡の清掃時などにおいて、比較的強い力が鏡に加わることがある。そのため、被固定部に対して鏡をより安全あるいは確実に固定するためには、ネジなどの締結部材により被固定部に固定される固定具を用いて、鏡を支持し被固定部に固定することが望ましい。
【０００３】
特許文献１には、壁面に鏡を取り付けるための鏡止め具が開示されている。特許文献１に記載された鏡止め具は、壁面に取付け固定される固定部と、上下方向に可動して鏡を保持する爪部と、下方向に爪部を弾性的に保持するように保持力が働くバネ部と、を備え、バネの弾性力を利用して鏡を保持する。
【先行技術文献】
【特許文献】
【０００４】
【特許文献１】特開平９−８４６７４号公報
【発明の概要】
【発明が解決しようとする課題】
【０００５】
しかし、特許文献１に記載された鏡止め具は、爪部の爪掛部が鏡の上部に掛かるように設置される。すなわち、爪部の爪掛部は、鏡の表面の一部を覆う。そのため、鏡の意匠性の向上という点においては、改善の余地がある。また、爪掛部が鏡の表面の一部を覆うため、爪掛部に覆われた鏡の部分には例えば水垢などの汚れが溜まりやすく、清掃者は鏡の表面を拭きにくい。そのため、鏡の清掃性の向上という点においては、改善の余地がある。このように、鏡の固定構造に対しては、鏡の意匠性や清掃性の向上などといった鏡の付加価値の向上が望まれている。
【０００６】
そこで、鏡の固定具が鏡の表面には掛からない状態で鏡の端部を支持し鏡を固定する固定構造が、一策として考えられる。しかし、固定具が鏡の表面には掛からない状態で鏡の端部を支持する場合において、比較的強い力や衝撃が鏡に加わったり、鏡が振動したりすると、過度な力が固定具から鏡の端部に作用するおそれがある。例えば、鏡に対して曲げやねじりを生じさせる力が固定具から鏡の端部に作用するおそれがある。そうすると、鏡が割れたり欠けたりするおそれがある。この点においては、さらなる改善が必要である。このように、本発明者は、固定具が鏡の表面には掛からない状態で鏡を固定する鏡の固定構造の検討において、鏡が割れたり欠けたりするおそれがあるという新たな課題を見出した。
【０００７】
本発明は、前記課題を解決するためになされたものであり、鏡が割れたり欠けたりすることを抑えることができる鏡の固定構造を提供することを目的とする。
【課題を解決するための手段】
【０００８】
前記課題は、本発明によれば、反射面が裏面の側に設けられた鏡を被固定部に固定する鏡の固定構造であって、前記裏面と交差する側面に設けられた孔または溝を有する鏡と、前記鏡を前記被固定部に固定する固定具であって、前記裏面の反対側に形成された表面には掛からない状態で前記孔または前記溝に係止されるとともに接着剤により前記裏面に接着された係止部材と、前記被固定部に物理的に固定され前記係止部材を支持する固定部材と、を有する固定具と、前記孔または前記溝と前記被固定部との間に設けられ、前記係止部材から前記孔または前記溝に作用する力を緩和する緩衝部材と、を備えたことを特徴とする鏡の固定構造により解決される。
【０００９】
前記構成によれば、固定具の係止部材を鏡の裏面に接着する接着剤の柔軟性は、孔または溝と被固定部との間に設けられた緩衝部材の柔軟性とは異なっている。孔または溝と被固定部との間に設けられた緩衝部材は、係止部材から孔または溝に作用する力を緩和する。そのため、比較的強い力や衝撃が鏡に加わったり、鏡が振動したりした場合であっても、過度な力が係止部材から孔または溝に作用することを抑えることができる。例えば、鏡に対して曲げやねじりを生じさせる力が係止部材から孔または溝に作用することを抑えることができる。これにより、鏡が割れたり欠けたりすることを抑えることができる。
【００１０】
また、固定具の係止部材は、鏡の表面には掛からない状態で鏡の側面に設けられた孔または溝に係止されている。そのため、鏡の表面においてすっきりとした外観が得られ、鏡のデザインの自由度が高まる。そのため、鏡の意匠性を向上させることができる。また、例えば水垢などの汚れが鏡の表面に溜まることを抑えることができるとともに、清掃者は鏡の表面を拭きやすくなる。そのため、鏡の清掃性を向上させることができる。
【００１１】
好ましくは、前記緩衝部材は、前記接着剤よりも柔軟であることを特徴とする。
【００１２】
前記構成によれば、孔または溝と被固定部との間に設けられた緩衝部材は、固定具の係止部材を鏡の裏面に接着する接着剤よりも柔軟である。そのため、緩衝部材は、係止部材から孔または溝に作用する力をより一層緩和することができる。これにより、鏡が割れたり欠けたりすることをより一層抑えることができる。
【００１３】
好ましくは、前記緩衝部材は、前記接着剤とは異なるとともに弾性を有する他の接着剤であり、前記係止部材と前記鏡とを接着することを特徴とする。
【００１４】
鏡の厚さ方向（表面および裏面のいずれか一方から表面および裏面のいずれか他方に向かう方向）において、孔または溝からみて鏡の両側の側面は、比較的薄い。そのため、孔または溝からみて鏡の両側の側面の部分は、鏡の外側に突出した薄肉部分になっている。これに対して、前記構成によれば、緩衝部材は、係止部材を鏡の裏面に接着する接着剤とは異なる接着剤であって、係止部材と鏡とを接着する接着剤である。そのため、鏡の薄肉部分の強度の低下を補い、鏡が割れたり欠けたりすることをより一層抑えることができる。
【発明の効果】
【００１５】
本発明によれば、鏡が割れたり欠けたりすることを抑えることができる鏡の固定構造を提供することができる。
【図面の簡単な説明】
【００１６】
【図１】本発明の実施形態に係る鏡の固定構造により鏡が被固定部に固定された状態を表す斜視図である。
【図２】図１に表した矢印Ａ１１の方向からみたときの鏡の側面図である。
【図３】本実施形態に係る鏡の固定構造を表す斜視図である。
【図４】図３に表した切断面Ａ−Ａにおける断面図である。
【図５】図３に表した切断面Ｂ−Ｂにおける断面図である。
【図６】図４に表した領域Ａ１の拡大図である。
【図７】図５に表した領域Ａ２の拡大図である。
【図８】本実施形態の第１変形例に係る鏡の固定構造を表す断面図である。
【図９】本実施形態の第２変形例に係る鏡の固定構造を表す拡大図である。
【発明を実施するための形態】
【００１７】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００１８】
発明の基本態様
本発明による態様は、固定具４を用いて鏡３を被固定部９に固定する鏡の固定構造２に関する。緩衝部材６３が、溝３７３、３８３と被固定部９との間に設けられ、係止部材４１から溝３７３、３８３に作用する力を緩和する。また、固定具４の係止部材４１を鏡３の裏面３５に接着する接着剤６１の柔軟性は、溝３７３、３８３と被固定部９との間に設けられた緩衝部材６３の柔軟性とは異なっている。そのため、比較的強い力や衝撃が鏡３に加わったり、鏡３が振動したりした場合であっても、過度な力が係止部材４１から溝３７３、３８３に作用することを抑えることができる。例えば、鏡３に対して曲げやねじりを生じさせる力が係止部材４１から溝３７３、３８３に作用することを抑えることができる。これにより、本発明による鏡の固定構造２は、鏡３が割れたり欠けたりすることを抑えることができるとの優れた利点を有するものである。
以下、定義の述べた後、本発明による鏡の固定構造のさらに詳細を説明する。
【００１９】
定義
鏡
本発明による鏡の固定構造によって固定される鏡は、反射面が鏡の裏面の側に設けられたいわゆる「裏面鏡」であり、例えば浴室や脱衣室や洗面化粧室などの高温多湿な環境下に設置されることがある。鏡の具体的な構造については、図面を参照しながら後述する。
【００２０】
孔または溝
本発明による鏡の固定構造によって固定される鏡は、鏡の側面に設けられた孔または溝を有する。孔または溝は、好適には、非貫通の孔または溝である。非貫通とは、一方の端部から他方の端部に向かって掘り下げられて孔または溝が形成されるが、他方の端部にまで至らない状態を意味する。
【００２１】
本発明において、鏡が有する非貫通の溝とは、凹条を意味する。なお、非貫通の溝は、非貫通の孔であってもよい。非貫通の孔の形状は、特には限定されず、例えば、円形、楕円、三角形、四角形、多角形様であってよい。このように、本発明において、溝と孔とは、明確に区別される必要はなく、例えば四角形の非貫通の孔が横長に形成されて溝と解されるような形状であってもよい。本願明細書において、固定具の係止部材が挿入かつ係止可能である限りにおいて、孔または溝と呼ぶ。また、溝は、溝が設けられた側面と交差する一方の側面から、その一方の側面に対向する他方の側面まで延びていてもよく、溝が設けられた側面と交差する両側面まで延びていなくともよい。例えば、鏡の幅（一方の側面と他方の側面との間の距離）よりも短い複数の溝が、鏡の幅方向において互いに独立して存在していてもよい。
【００２２】
孔または溝が延びた方向に沿ってみたときの孔または溝の形状は、三角形（Ｖ溝形状）、四角形（矩形状）、半円形（Ｕ溝形状）であってもよい。
【００２３】
被固定部
本発明による鏡の固定構造において、鏡が固定される部材あるいは構造物を「被固定部」という。被固定部としては、例えば浴室や脱衣室や洗面化粧室などの壁が挙げられる。ただし、被固定部は、浴室、脱衣室および洗面化粧室の壁だけには限定されない。また、本発明による鏡の固定構造において、鏡が固定される被固定部の表面を「被固定面」という。被固定面としては、例えば浴室や脱衣室や洗面化粧室など壁の表面であって、鏡の利用者が存在する側の壁の表面（内壁面）が挙げられる。ただし、被固定面は、浴室、脱衣室および洗面化粧室の内壁面だけには限定されない。
【００２４】
本発明による鏡の固定構造
以下、本発明による鏡の固定構造について、図面を参照しながら説明する。
図１は、本発明の実施形態に係る鏡の固定構造により鏡が被固定部に固定された状態を表す斜視図である。
図２は、図１に表した矢印Ａ１１の方向からみたときの鏡の側面図である。
【００２５】
図１に表したように、鏡３は、本実施形態に係る鏡の固定構造２（図３参照）により被固定部９に固定される。鏡３は、反射面が鏡３の裏面の側に設けられたいわゆる「裏面鏡」である。すなわち、図２に表したように、鏡３は、ガラス３１と、銀（Ａｇ）を含む銀層３２と、銅（Ｃｕ）を含む銅層３３と、バックコート層３４と、を有する。ガラス３１と、銀層３２と、銅層３３と、バックコート層３４と、は、鏡３の表面３６から鏡３の裏面３５に向かってこの順に配置されている。なお、後述するように、バックコート層３４の裏面側には、オーバーコート層がさらに設けられていてもよい。
【００２６】
本願明細書において「鏡の表面」とは、鏡３が被固定部９に固定された状態において鏡３の前に存在する利用者に対向する面をいう。言い換えれば、「鏡の表面」とは、鏡３を利用する利用者が鏡３を眺めたり覗いたりする側の面をいう。本願明細書において「鏡の裏面」とは、鏡３の表面３６とは反対側の面であって、鏡３が被固定部９に固定された状態において被固定面に対向する面をいう。
【００２７】
表面３６から裏面３５に向かう方向のガラス３１の寸法（厚さ）Ｌ１は、例えば約５ｍｍ程度である。表面３６から裏面３５に向かう方向の銀層３２の寸法（厚さ）Ｌ２は、例えば約８０ｎｍ程度である。表面３６から裏面３５に向かう方向の銅層３３の寸法（厚さ）Ｌ３は、例えば約４０ｎｍ程度である。表面３６から裏面３５に向かう方向のバックコート層３４の寸法（厚さ）Ｌ４は、例えば約５０μｍ程度である。
【００２８】
図２に表したように、鏡３の反射面３１１は、銀層３２の面のうちで鏡３の表面３６の側に配置された面であり、ガラス３１に接触している。図２に表した矢印Ａ１２および矢印Ａ１３のように、鏡３の表面３６からガラス３１の内部に入射した光の一部は、反射面３１１において反射し、ガラス３１の内部を進行して鏡３の表面３６から放出される。
【００２９】
銅層３３は、銀層３２を保護する機能を有し、銀層３２が例えば塩化物や硫化物などと反応して腐食することを抑える。すなわち、銅層３３とは、犠牲防蝕効果を発揮する。また、バックコート層３４は、銅層３３の防蝕効果よりも高い防蝕効果を有する塗料を含み、銀層３２の腐食をより一層抑える。なお、本実施形態の鏡３の構造は、図２に表した例には限定されず、例えば、防蝕効果を有する塗料を含むオーバーコート層がバックコート層３４の裏面の側にさらに積層された構造であってもよい。
【００３０】
鏡の固定構造２が備える固定具４（図３参照）は、鏡３の正面視において見え難くなっている。また、固定具４は、鏡３のガラス３１を通して斜めから見え難くなっている。これにより、図１に表したように、鏡３は、被固定部９に対して浮いているように見える。なお、図１に表した例では、鏡３は、ボウル部８１を有する洗面台８の上において被固定部９に固定されている。ただし、鏡３の固定位置は、洗面台８の上の被固定部９には限定されない。例えば、鏡３は、浴室や脱衣室などに設置された壁などの被固定部９に固定されてもよい。以下、本実施形態に係る鏡の固定構造２の詳細を、図面を参照して説明する。
【００３１】
図３は、本実施形態に係る鏡の固定構造を表す斜視図である。
図４は、図３に表した切断面Ａ−Ａにおける断面図である。
図５は、図３に表した切断面Ｂ−Ｂにおける断面図である。
図６は、図４に表した領域Ａ１の拡大図である。
図７は、図５に表した領域Ａ２の拡大図である。
【００３２】
本実施形態に係る鏡の固定構造２は、鏡３と、固定具４と、を備える。
図６および図７に表したように、鏡３は、裏面３５および表面３６と交差する側面３７１、３７２に設けられた溝３７３と、裏面３５および表面３６と交差する側面３８１、３８２に設けられた溝３８３と、を有する。側面３７１、３７２、３８１、３８２は、例えば「木口」や「こば」など呼ばれる部分であり、鏡３の主面（表面３６および裏面３５）の側方に形成された面である。本実施形態の側面３７１、３７２、３８１、３８２は、本発明の「裏面と交差する側面」の一例である。本実施形態においては、鏡３が被固定部９に固定された状態において、側面３７１、３７２は鏡３の上側の端面（上端面）の一例であり、側面３８１、３８２は鏡３の下側の端面（下端面）の一例である。すなわち、本発明の「側面」は、裏面３５と交差する側面のうち互いに対向する両側の側面であり、鏡３の上側の端面（上端面：側面３７１、３７２）と、鏡３の下側の端面（下端面：側面３８１、３８２）と、を含む。
【００３３】
溝３７３、３８３は、表面３６、裏面３５および側面３７１、３７２、３８１、３８２と交差する一方の側面３９１（図３参照）から、側面３９１に対向する他方の側面３９２（図３参照）まで延びていていてもよく、側面３９１から側面３９２まで延びていなくともよい。すなわち、溝３７３、３８３は、固定具４の係止部材４１を係止可能な限りにおいて、必ずしも一方の側面３９１から他方の側面３９２まで延びていなくともよい。例えば、複数の係止部材４１のそれぞれが係止される溝が、一方の側面３９１から他方の側面３９２へ向かう方向において互いに独立して（例えば互いに左右に離れて）設けられていてもよい。表面３６から裏面３５に向かう方向の溝３７３、３８３の寸法（幅）は、例えば約１ｍｍ程度である。
【００３４】
固定具４は、材料は問わないが、例えば金属の板状部材のプレス加工に形成された金具であり、鏡３を被固定部９に固定する。固定具４は、係止部材４１と、固定部材４２と、を有する。固定具４は、第１連結部材４３と、第２連結部材４４と、をさらに有していてもよい。本実施形態では、固定具４が、係止部材４１と、固定部材４２と、第１連結部材４３と、第２連結部材４４と、を有する場合を例に挙げて説明する。
【００３５】
なお、係止部材４１、固定部材４２、第１連結部材４３および第２連結部材４４は、必ずしも別部材として設けられていなくともよく、一部材として設けられていてもよい。また、本実施形態に係る鏡の固定構造２においては、第１連結部材４３および第２連結部材４４は必須ではない。他の実施形態によれば、第１連結部材４３および第２連結部材４４は無くてもよい。つまり、１つの係止部材４１が１つの固定部材４２に支持されていてもよい。さらに他の実施形態によれば、第１連結部材４３および第２連結部材４４のいずれかが無くてもよい。つまり、第１連結部材４３が無い場合には、一方の側面３９１から他方の側面３９２へ向かう方向において、第２連結部材４４が２つの係止部材４１を連結する。第２連結部材４４が無い場合には、個々の第１連結部材４１が、それぞれ独立して固定部材４２で支持される。
【００３６】
係止部材４１は、鏡３の表面３６には掛からない状態で鏡３の溝３７３、３８３に係止されている。すなわち、係止部材４１は、鏡３の表面３６のいずれの部分も覆っていない。本実施形態に係る鏡３の固定構造２では、４つの係止部材４１が用いられている。具体的には、側面３７１、３７２の両側の溝３７３に係止された２つの係止部材４１と、側面３８１、３８２の両側の溝３８３に係止された２つの係止部材４１と、が用いられている。ただし、係止部材４１の設置数は、４つには限定されない。
【００３７】
図４および図５に表したように、固定部材４２は、ねじなどの締結部材５により被固定部９に物理的に固定され、係止部材４１を支持する。例えば、固定部材４２は、鏡３の裏面３５と被固定部９との間において係止部材４１に引っ掛けられ、係止部材４１を支持する。  
【００３８】
第１連結部材４３は、側面３７１、３７２の溝３７３に係止された係止部材４１と、側面３８１、３８２の溝３８３に係止された係止部材４１と、を連結している。本実施形態に係る鏡３の固定構造２では、２つの第１連結部材４３が設けられている。例えば、一方の第１連結部材４３は、側面３７１、３７２の両側のいずれか一方の溝３７３に係止された係止部材４１と、側面３８１、３８２の両側のいずれか一方の溝３８３に係止された係止部材４１と、を連結している。また、他方の第１連結部材４３は、側面３７１、３７２の両側のいずれか他方の溝３７３に係止された係止部材４１と、側面３８１、３８２の両側のいずれか他方の溝３８３に係止された係止部材４１と、を連結している。
【００３９】
第２連結部材４４は、複数の第１連結部材４３同士を連結している。本実施形態に係る鏡３の固定構造２では、２つの第２連結部材４３が設けられている。例えば、一方の第２連結部材４４は、相対的に上側において２つの第１連結部材４３同士を連結している。他方の第２連結部材４４は、相対的に下側において２つの第１連結部材４３同士を連結している。
【００４０】
ここで、第１課題として、固定具が鏡の表面には掛からない状態で鏡の端部を支持する場合であっても、鏡の外形から外側に出る固定具の量が多いと、使用者が鏡を正面から見た際に固定具が見えるおそれがある。そうすると、鏡が被固定部に対して浮いているように見えないおそれがあり、鏡の意匠性の向上という点においては改善の余地かある。
【００４１】
これに対して、本実施形態に係る鏡３の固定構造２では、図６に表したように、溝３７３からみて裏面３５の側の側面３７２は、溝３７３からみて表面３６の側の側面３７１に対して鏡３の中央部３Ｃ（図３参照）に向かって後退した位置に設けられている。本実施形態の説明では、溝３７３からみて表面３６の側の側面３７１を「第１側面３７１」と称し、溝３７３からみて裏面３５の側の側面３７２を「第２側面３７２」と称することがある。つまり、第１側面３７１と、第２側面３７２と、の間には、段差Ｄ１が設けられている。
【００４２】
また、図７に表したように、溝３８３からみて裏面３５の側の側面３８２は、溝３８３からみて表面３６の側の側面３８１に対して鏡３の中央部３Ｃ（図３参照）に向かって後退した位置に設けられている。本実施形態の説明では、溝３８３からみて表面３６の側の側面３８１を「第１側面３８１」と称し、溝３８３からみて裏面３５の側の側面３８２を「第２側面３８２」と称することがある。つまり、第１側面３８１と、第２側面３８２と、の間には、段差Ｄ２が設けられている。
【００４３】
そして、係止部材４１は、鏡３の表面３６の側からの正面視において見えないように設置されている。これにより、鏡３の固定具４は、鏡３の正面視において見え難くなっている。そのため、鏡３が被固定部９に対して浮いているように見え、鏡３の意匠性を向上させることができる。
【００４４】
係止部材４１は、光の透過を抑制する材料、好適には不透明な材料により形成された接着剤６１により鏡３に張り付けられている。具体的には、図６に表したように、係止部材４１は、第２側面３７２と、面取り部３７４と、裏面３５と、に対して接着剤６１により接着されている。面取り部３７４は、裏面３５と第２側面３７２とが交差する角部に設けられている。面取り部３７４と係止部材４１との間の空間３７５には、接着剤６１の溜まり部が形成されている。また、図７に表したように、係止部材４１は、第２側面３８２と、面取り部３８４と、裏面３５と、に対して接着剤６１により接着されている。面取り部３８４は、裏面３５と第２側面３８２とが交差する角部に設けられている。面取り部３８４と係止部材４１との間の空間３８５には、接着剤６１の溜まり部が形成されている。
【００４５】
第１側面３７１、３８１は、第２側面３７２、３８２に対して鏡３の外側の位置に設けられている。また、鏡３の厚さ方向（表面３６および裏面３５のいずれか一方から表面３６および裏面３５のいずれか他方に向かう方向）において、第１側面３７１、３８１は、比較的薄い。そのため、第１側面３７１、３８１の部分は、鏡３の外側に突出した薄肉部分になっている。
【００４６】
これに対して、本実施形態によれば、係止部材４１が接着剤６１により鏡３に張り付けられているため、鏡３の薄肉部分の強度の低下を補い、鏡３が割れたり欠けたりすることを抑えることができる。また、面取り部３７４、３８４と係止部材４１との間の空間３７５、３８５に形成された溜まり部において接着剤６１が溜まっているため、係止部材４１と鏡３との間の接着強度がより一層増している。これにより、鏡３の薄肉部分の強度の低下をより一層補い、鏡３が割れたり欠けたりすることをより一層抑えることができる。
【００４７】
また、第２課題として、使用者は、鏡を使用する際に鏡を正面から見るため、鏡の表面側に設けられたガラスを通して鏡の端部を斜めから見ることになる。このような状況では、固定具が鏡の表面には掛からない状態で鏡の端部を支持する場合であっても、固定具が鏡のガラスを通して斜めから見えるおそれがある。そうすると、鏡の意匠性の向上という点においては改善の余地がある。
【００４８】
これに対して、本実施形態に係る鏡３の固定構造２では、図３および図６に表したように、光の透過を抑制する材料、好適には不透明な材料により形成された樹脂層６２が、第２側面３７２のうちで係止部材４１が溝３７３に係止されていない部分２１、２３、２５に設けられている。なお、図６に表した例では、樹脂層６２は、第１側面３７１および第２側面３７２のうちで係止部材４１が溝３７３に係止されていない部分２１、２３、２５に設けられている。このように、樹脂層６２は、第１側面３７１および第２側面３７２の両方に設けられていてもよい。
【００４９】
そのため、図６に表した矢印Ａ１１のように、使用者が鏡３のガラス３１を通して鏡３の第１側面３７１および第２側面３７２の部分を斜めから見たときに、樹脂層６２が設けられていない場合と比較して、係止部材４１が溝３７３に係止された部分２２、２４と、係止部材４１が溝３７３に係止されていない部分２１、２３、２５と、の違いが明確になることを抑え、係止部材４１が目立つことを抑えることができる。
【００５０】
また、図３および図７に表したように、光の透過を抑制する材料により形成された樹脂層６２が、第２側面３８２のうちで係止部材４１が溝３８３に係止されていない部分２１、２３、２５に設けられている。なお、図７に表した例では、樹脂層６２は、第１側面３８１および第２側面３８２のうちで係止部材４１が溝３８３に係止されていない部分２１、２３、２５に設けられている。このように、樹脂層６２は、第１側面３８１および第２側面３８２の両方に設けられていてもよい。
【００５１】
そのため、図７に表した矢印Ａ１２のように、使用者が鏡３のガラス３１を通して鏡３の第１側面３８１および第２側面３８２の部分を斜めから見たときに、樹脂層６２が設けられていない場合と比較して、係止部材４１が溝３８３に係止された部分２２、２４と、係止部材４１が溝３８３に係止されていない部分２１、２３、２５と、の違いが明確になることを抑え、係止部材４１が目立つことを抑えることができる。
【００５２】
これにより、鏡３の固定具４は、鏡３のガラス３１を通して斜めから見え難くなっている。そのため、鏡３の意匠性を向上させることができる。第１側面３７１および第２側面３７２の部分を斜めから見たときに、係止部材４１が係止された部分２２、２４と、係止部材４１が係止されていない部分２１、２３、２５と、の違いが明確になることを抑えるためには、樹脂層６２は、第２側面３７２および溝３７３の部分に設けられていることが好ましく、第１側面３７１の部分には設けられていなくてもよい。樹脂層６２は、係止部材４１と鏡３との係止が外れるような力が加わったときに、係止が外れることを抑制することができる。このように、樹脂層６２は、係止部材４１と鏡３との係止力を補助するためには、図６に表したように、第１側面３７１の部分に設けられていることが好ましく、第１側面３７１および第２側面３７２の部分に設けられていることが、より好ましい。このような樹脂層６２の設置位置に関する作用および効果は、第１側面３８１および第２側面３８２の部分においても同様である。
【００５３】
図６および図７に表したように、係止部材４１と第２側面３７２、３８２との間には、接着剤６１が設けられている。係止部材４１と第２側面３７２、３８２との間に設けられた接着剤６１は、本発明の「係止部材と側面との間の部分」の「樹脂層」の一例である。すなわち、光の透過を抑制する材料により形成された樹脂層（本実施形態では接着剤６１）は、係止部材４１と第２側面３７２、３８２との間の部分にさらに設けられている。溝３７３、３８３が延びた方向（側面３９１および側面３９２のいずれか一方から側面３９１および側面３９２のいずれか他方に向かう方向）において、樹脂層６２と、係止部材４１と第２側面３７２、３８２との間の樹脂層（本実施形態では接着剤６１）と、の長さは、係止部材４１の長さよりも長い。ここでいう「係止部材４１の長さ」は、第２側面３７２、３８２のうちで係止部材４１が溝３７３、３８３に係止された部分２２、２４の長さに相当する。
【００５４】
これによれば、樹脂層６２、および樹脂層として機能する接着剤６１が、係止部材４１が溝３７３、３８３に係止された部分２２、２４と、係止部材４１が溝３７３、３８３に係止されていない部分２１、２３、２５と、の両方に設けられるため、係止部材４１が目立つことをより一層抑えることができる。また、樹脂層として機能する接着剤６１が係止部材４１と第２側面３７２、３８２との間の部分に設けられるため、使用者が鏡３のガラス３１を通して鏡３の第１側面３７１、３８１および第２側面３７２、３８２の部分を斜めから見たときに、係止部材４１が樹脂層として機能する接着剤６１に隠れてほとんど見えない状態になる。
【００５５】
例えば、樹脂層６２は、接着剤により形成されている。接着剤により形成された樹脂層６２の材料は、係止部材４１と鏡３とを張り付ける接着剤６１の材料と同じであってもよく、異なっていてもよい。樹脂層６２が接着剤により形成されている場合には、鏡３の第１側面３７１、３８１および第２側面３７２、３８２を樹脂層６２で覆う被覆工程と、係止部材４１と鏡３とを張り付ける接着工程と、同じ工程で行うことができる。これにより、鏡３の固定構造２に関する作業の効率化を図ることができる。
【００５６】
また、図６および図７に表したように、樹脂層６２は、固定具４の最外面を覆っている。本実施形態では、固定具４の最外面は、係止部材４１の最外面（上面および下面）に相当する。そのため、係止部材４１は、係止部材４１と第２側面３７２、３８２との間に設けられた接着剤６１と、係止部材４１の最外面を覆う樹脂層６２と、の間に挟設されている。このように、樹脂層６２が固定具４の最外面を覆っているため、使用者が正面視以外の角度から鏡３を見た場合であっても、鏡３の固定具４は見え難くなっている。例えば、図６に表した矢印Ａ１１および図７に表した矢印Ａ１２のように、使用者が鏡３の正面からガラス３１を通して鏡３の第１側面３７１、３８１および第２側面３７２、３８２を見た場合であっても、係止部材４１が鏡３の正面からガラス３１を通して見えることを抑えることができる。また、樹脂層６２が固定具４の最外面を覆っているため、鏡３の薄肉部分（第１側面３７１、３８１の部分）の強度の低下を補い、鏡が割れたり欠けたりすることをより一層抑えることができる。
【００５７】
また、第３課題として、固定具が鏡の表面には掛からない状態で鏡の端部を支持する場合において、比較的強い力や衝撃が鏡に加わったり、鏡が振動したりすると、過度な力が固定具から鏡の端部に作用するおそれがある。例えば、鏡に対して曲げやねじりを生じさせる力が固定具から鏡の端部に作用するおそれがある。そうすると、鏡が割れたり欠けたりするおそれがある。この点においては、改善の余地がある。
【００５８】
これに対して、本実施形態に係る鏡３の固定構造２では、緩衝部材６３が溝３７３、３８３と被固定部９との間に設けられ、係止部材４１から溝３７３、３８３に作用する力を緩和する。具体的には、図６に表したように、緩衝部材６３は、溝３７３のうちで、鏡３の裏面３５の側の側面と、鏡３の表面３６の側の側面と、底面と、に設けられている。また、図７に表したように、緩衝部材６３は、溝３８３のうちで、鏡３の裏面３５の側の側面と、鏡３の表面３６の側の側面と、底面と、に設けられている。本実施形態の緩衝部材６３は、接着剤６１よりも柔軟な接着剤であるとともに弾性を有する接着剤であり、係止部材４１と鏡３とを接着している。
【００５９】
これによれば、緩衝部材６３は、係止部材４１から溝３７３、３８３に作用する力を緩和する。そのため、比較的強い力や衝撃が鏡３に加わったり、鏡３が振動したりした場合であっても、過度な力が係止部材４１から溝３７３、３８３に作用することを抑えることができる。例えば、鏡３に対して曲げやねじりを生じさせる力が係止部材４１から溝３７３、３８３に作用することを抑えることができる。これにより、鏡３が割れたり欠けたりすることを抑えることができる。
【００６０】
また、緩衝部材６３は、接着剤６１よりも柔軟であるため、係止部材４１から溝３７３、３８３に作用する力をより一層緩和することができる。これにより、鏡３が割れたり欠けたりすることをより一層抑えることができる。
【００６１】
また、緩衝部材６３は、弾性を有する接着剤であり、係止部材４１と鏡３とを接着しているため、鏡３の薄肉部分（第１側面３７１、３８１の部分および第２側面３７２、３８２の部分）の強度の低下を補い、鏡が割れたり欠けたりすることをより一層抑えることができる。
【００６２】
また、本実施形態に係る鏡３の固定構造２によれば、係止部材４１は、鏡３の表面３６には掛からない状態で鏡３の溝３７３、３８３に係止されている。そのため、鏡３の表面３６においてすっきりとした外観が得られ、鏡３のデザインの自由度が高まる。そのため、鏡３の意匠性を向上させることができる。また、例えば水垢などの汚れが鏡３の表面３６に溜まることを抑えることができるとともに、清掃者は鏡３の表面３６を拭きやすくなる。そのため、鏡３の清掃性を向上させることができる。
【００６３】
次に、本実施形態の変形例に係る鏡の固定構造について説明する。
なお、変形例に係る鏡３の固定構造２Ａ、２Ｂの構成要素が、図１〜図７に関して前述した本実施形態に係る鏡３の固定構造２の構成要素と同様である場合には、重複する説明は適宜省略し、以下、相違点を中心に説明する。
【００６４】
図８は、本実施形態の第１変形例に係る鏡の固定構造を表す断面図である。
図８は、図３に表した切断面Ａ−Ａにおける断面図に相当する。
本変形例に係る鏡３の固定構造２Ａでは、固定部材４２は、緩衝部材６３Ａを介して係止部材４１に引っ掛けられ、係止部材４１を支持している。つまり、緩衝部材６３Ａは、溝３７３、３８３と被固定部９との間に設けられ、具体的には、係止部材４１と固定部材４２との間に挟設されている。緩衝部材６３Ａは、ゴムやスポンジなどの弾性体であり、係止部材４１から溝３７３、３８３に作用する力を緩和する。その他の構造は、図１〜図７に関して前述した鏡３の固定構造２と同様である。
【００６５】
本変形例によれば、係止部材４１と固定部材４２との間に挟設された弾性体としての緩衝部材６３Ａは、係止部材４１から溝３７３、３８３に作用する力を緩和する。そのため、比較的強い力や衝撃が鏡３に加わったり、鏡３が振動したりした場合であっても、過度な力が係止部材４１から溝３７３、３８３に作用することを抑えることができる。例えば、鏡３に対して曲げやねじりを生じさせる力が係止部材４１から溝３７３、３８３に作用することを抑えることができる。これにより、鏡３が割れたり欠けたりすることを抑えることができる。
【００６６】
図９は、本実施形態の第２変形例に係る鏡の固定構造を表す拡大図である。
図９は、図４に表した領域Ａ１の拡大図に相当する。
本変形例に係る鏡３の固定構造２Ｂでは、係止部材４１Ａは、溝３７３、３８３と被固定部９との間に設けられた脆弱部４１１を有する。本変形例の脆弱部４１１は、本発明の「緩衝部材」の一例である。図９に表したように、脆弱部４１１は、蛇腹構造などを有し、脆弱部４１１以外の係止部材４１Ａの部分よりも脆弱である。すなわち、脆弱部４１１は、脆弱部４１１以外の係止部材４１Ａの部分と比較して変形しやすい。そのため、脆弱部４１１は、係止部材４１Ａから溝３７３、３８３に作用する力を緩和する。
【００６７】
本変形例によれば、脆弱部４１１は、係止部材４１Ａから溝３７３、３８３に作用する力を緩和するため、比較的強い力や衝撃が鏡３に加わったり、鏡３が振動したりした場合であっても、過度な力が係止部材４１Ａから溝３７３、３８３に作用することを抑えることができる。例えば、鏡３に対して曲げやねじりを生じさせる力が係止部材４１Ａから溝３７３、３８３に作用することを抑えることができる。これにより、鏡３が割れたり欠けたりすることを抑えることができる。
【００６８】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００６９】
２、２Ａ、２Ｂ・・・鏡の固定構造、  ３・・・鏡、  ３Ｃ・・・中央部、  ４・・・固定具、  ５・・・締結部材、  ８・・・洗面台、  ９・・・被固定部、  ２１、２２、２３、２４、２５・・・部分、  ３１・・・ガラス、  ３２・・・銀層、  ３３・・・銅層、  ３４・・・バックコート層、  ３５・・・裏面、  ３６・・・表面、  ４１、４１Ａ・・・係止部材、  ４２・・・固定部材、  ４３・・・第１連結部材、  ４４・・・第２連結部材、  ６１・・・接着剤、  ６２・・・樹脂層、  ６３、６３Ａ・・・緩衝部材、  ８１・・・ボウル部、  ３１１・・・反射面、  ３７１・・・第１側面、  ３７２・・・第２側面、  ３７３・・・溝、  ３７４・・・面取り部、  ３７５・・・空間、  ３８１・・・第１側面、  ３８２・・・第２側面、  ３８３・・・溝、  ３８４・・・面取り部、  ３８５・・・空間、  ３９１、３９２・・・側面、  ４１１・・・脆弱部、  Ｄ１、Ｄ２・・・段差
【図１】
2019177069.tif 000003
【図２】
2019177069.tif 000004
【図３】
2019177069.tif 000005
【図４】
2019177069.tif 000006
【図５】
2019177069.tif 000007
【図６】
2019177069.tif 000008
【図７】
2019177069.tif 000009
【図８】
2019177069.tif 000010
【図９】
2019177069.tif 000011